【事件の表示】
　平成　９年特許願第１１６４７０号「画像記録装置」拒絶査定不服審判事件〔平成１０年１１月　４日出願公開、特開平１０−２９４８１７〕について、次のとおり審決する。
【結　論】
　本件審判の請求は、成り立たない。
【理　由】
１．手続の経緯
　本願は、平成９年４月１８日の出願であって、平成１７年６月１０日付けで拒絶査定がなされ、これに対し、同年７月１４日に拒絶査定に対する審判請求がなされるとともに、同日付けで手続補正がなされたものである。
　
２．平成１７年７月１４日付けの手続補正についての補正却下の決定
[補正却下の決定の結論]
　平成１７年７月１４日付けの手続補正を却下する。
[理由]
（１）補正後の本願発明
　本件補正により、特許請求の範囲の請求項１は、
「原稿を複写するコピーモードと原稿を電話回線を介して送信するファックスモードとを有し、表示部の有効表示桁数を変更して両モードで共通に用いられる操作パネルを具備した画像記録装置であって、複写枚数または送信先電話番号を入力する入力手段と、この入力手段により入力された
特定キーの入力を伴うテンキーの入力桁数により
　上記補正は、請求項１に記載した発明を特定するために必要な事項である「実行すべきモードを判断する」点について「
特定キーの入力を伴うテンキーの入力桁数により
　そこで、本件補正後の前記請求項１に記載された発明（以下、「本願補正発明」という）が特許出願の際独立して特許を受けることができるものであるか（平成１８年改正前特許法第１７条の２第５項において準用する同法第１２６条第５項の規定に適合するか）について以下に検討する。
　
（２）刊行物
ア　原審拒絶理由で引用された、本願の出願日前である平成８年３月２２日に頒布された「特開平８−７６６４５号公報」（以下、「刊行物１」という）は、「画像出力装置」に関するものであって、その公報には次の事項が記載されている。
（ア）　「本発明は、（中略）事前に動作モードの確認をする必要がなく、またモード選択スイッチの操作も不要となり、操作が簡単で、誤操作も防止可能な画像出力装置を提供することを目的としている。」（２頁段落【０００４】）
（イ）　「図１は本発明の一実施例の構成を示すブロック図であり、ここではファクシミリ機能付き複写機として構成した場合を示している。
図１において、１０１はファクシミリ機能付きの複写機で、紙原稿等を読み取るリーダー部１０２，読み取った原稿画像をプリントアウトするプリンタ部１０３，電話回線を通して画像の通信を行うファクス（ＦＡＸ：ファクシミリ）部１０５，操作部１０６、及びこれらの各部を制御するコア部１０４を備えている。
上記操作部１０６は、複写枚数の入力手段であるテンキーとファクス送信先の電話番号の入力手段であるテンキーとを共用にしており、またコア部１０４は、複写動作を行うかファクシミリ送信動作を行うかを指示することなく、そのテンキーより入力された数値から複写枚数か電話番号かを判別して自動的に複写動作かファクス送信動作かを選択する動作モード切替手段を構成している。」（２頁段落【００１０】ないし頁段落【００１２】、図１）
（ウ）　「図２は上記操作部１０６の外観を示す平面図である。図中、２０１はコピー，ファクス，ファイル，スキャナ等の各機能を選択するための機能選択キー、２０２は各機能の動作を実行するための実行開始キー、２０３は前述の数値入力用のテンキー、２０４は液晶等を用いた表示部で、用紙のサイズや拡大，縮小の倍率の他、必要な処理内容等を表示できるようになっている。
ここで、上記構成の複写機１０１は、少なくとも複写機能とファクス機能を持っており、複写モードとファクスモードは切り替えられて使用される。すなわち、機能選択キー２０１の所望のキーを押すことによって使用する機能の動作モードを選択し、所定の動作をさせることができる。また、実行開始キー２０２が押される以前にテンキー２０３にて入力された数値は、各モードによって異なる意味を持っている。すなわち、複写機１０１が複写モードにあるときは複写枚数を意味し、複写機１０１がファクスモードにあるときは電話番号を意味する。」（２頁段落【００１３】ないし段落【００１４】、図２）
（エ）　「本実施例では、テンキー２０３にて入力された数値が所定の桁数以上の場合はファクス送信の動作モードに切り替え、それより桁数が小さい場合は複写の動作モードに切り替えるようにしている。
すなわち、複写機１０１の構造上最大複写枚数には上限があり、通常２桁程度であるが、それに比べて電話番号は桁数が５桁以上あるので、入力された数値の桁数に注目すれば使用者の希望する動作が複写動作なのかファクス動作なのかを判断することができる。
まず、電源投入後に図３のステップＳ３０１において初期化を行い、各部の状態を初期設定する。次に、ステップＳ３０２において使用者によるキー入力があるかどうかを判別し、ある場合はステップＳ３０３において押されたキーがテンキー２０３の数字キーかどうかを判別する。そして、数字キーが押されている場合は、ステップＳ３０４においてその数字キーの値によって数値を更新し、ステップＳ３０２にて次のキー入力を待つ。
この時、ステップＳ３０３で押されたキーが数字キーでなければ、ステップＳ３０５において実行開始キー２０２かどうかを判断し、そうでなければステップＳ３０６においてその他の動作、つまり実行開始以外の動作を行う。しかし、実行開始キー２０２が押されていた場合は、ステップＳ３０７において上記入力された数値を調べ、ある一定の桁以上かどうかを判別する。そして、ある一定の桁数よりも多ければステップＳ３０８においてファクス動作を行い、反対に少なければステップＳ３０９において複写動作を行い、動作終了後は再びステップＳ３０２にてキー入力を待ち、次の動作に備える。」（３頁段落【００１５】ないし【００１８】、図３）
（オ）　「また、図４のフローチャートの動作は、動作モードの切り替えを判断する時期が図３のものと異なるのみであり、図４のステップＳ４０１〜Ｓ４０４の動作は図３のステップＳ３０１〜Ｓ３０４に対応し、また図４のステップＳ４０７，Ｓ４０８の動作は図３のステップＳ３０５，Ｓ３０６の動作、図４のステップＳ４１０，Ｓ４１１の動作は図３のステップＳ３０８，Ｓ３０９の動作にそれぞれ対応する。
すなわち、図４のステップＳ４０２において、テンキー２０３が押された時にステップＳ４０４において数値の更新を行うところは図３に示す動作と同じであり、異なるのは次のステップＳ４０５において更新した数値がある一定の桁数以上に達したかどうかを判断し、もし達していればステップＳ４０６においてファクスモードに切り替え、表示部２０４にファクスモードの表示を行うことである。この処理により、複写を希望する使用者が入力ミスによってファクスモードにしてしまった場合に、その誤りに気付き易くさせることができる。
また、ステップＳ４０７にて実行開始キー２０２が押されていれば、ステップＳ４０９にて使用者の指定したモードはなにかを判別し、ファクスモードであればステップＳ４１０でファクス動作を行い、複写モードであればステップＳ４１１で複写動作を行う。」（３頁段落【００１９】ないし【００２１】、図４）
　
イ　また、原審拒絶理由で引用された、本願の出願日前である平成５年２月１２日に頒布された「特開平５−３７６６４号公報」（以下、「刊行物２」という）は、「画像通信装置」に関するものであって、その公報には、次の事項が記載されている。
（ア）　「本発明は画像通信装置、特にダイヤリング操作を示す所定キーを操作後、数値入力手段から相手局の選択番号に相当する数値を入力し、その相手局を発呼するとともに、前記数値入力手段が、相手局発呼以外の所定処理にも使用される画像通信装置に関するものである。」（２頁段落【０００１】）
（イ）　「従来よりファクシミリ装置において、発呼時に原稿をセットしてから相手局の電話番号を入力する前に「ダイヤル」などと表示されたボタンを操作し、その後テンキーによって相手局の番号を入力するものがある。この方式では、「ダイヤル」ボタンの押下によってその後入力される番号が電話番号であることが示される。この方式の装置では、ダイヤルボタンを押さずにテンキーで数字を入力してスタートキーを押下すると、テンキーで指定された枚数分だけ原稿のコピーを行うようになっている。」（２頁段落【０００２】）
（ウ）　「上記のような構成では、テンキー操作によって原稿コピーの枚数を指定できるという利点がある反面、発呼を行いたいにもかかわらず、ダイヤルボタンの操作を忘れると（ダイヤルボタンがない装置もあるため、このような誤操作が起こりやすい）、ユーザの意図に反してコピー動作が始まってしまい、用紙を無駄にするという問題があった。
また、ダイヤルキーを使用せずにコピー枚数の入力が開始されると、その桁数を監視し、例えば３桁以上の入力を行えないようにした装置もある。このような装置で３桁以上の入力を行うと、最後の２桁のみをコピー枚数として扱うような処理が知られている。しかし、この場合にもユーザがダイヤルキーを押さずにテンキー操作によって電話番号を入力している場合には、意図しない発呼動作が行われてしまう問題がある。
本発明の課題は、以上の問題を解決し、ユーザの意図しない動作が行なわれ、誤発呼や、記録紙の無駄な消費などを未然に防止できる画像通信装置を提供することにある。」（２頁段落【０００４】ないし【０００６】）
（エ）　「以上の実施例では、所定桁数以上のコピー枚数入力が行われた場合に警告を行う構成としたが、所定桁数以上のコピー枚数入力が行われた場合、ダイヤルキー８３の押し忘れと判断してその数値入力を通信を希望する相手局の電話番号として扱い、発呼を行うようにすることも考えられる。図４にこの場合の処理を示す。図４においてはステップＳ１０９〜Ｓ１１１のループ処理が異なるのみで、その他のステップＳ１〜Ｓ８およびステップＳ１６〜Ｓ１７の処理は図３と全く同じである。
ステップＳ７においてダイヤルキーが押下されずにテンキー入力が行われるとステップＳ８でカウンタＣが１にリセットされ、ステップＳ１０９でキー押下が検出される。スタートキー押下の場合にはステップＳ１１２へ、テンキー押下の場合にはステップＳ１１１へ移行する。ステップＳ１１１ではテンキー入力の桁数をカウントするカウンタをインクリメントしてステップＳ１０９に戻り、次の入力を取り込む。
このようにして、カウンタで入力桁数を計数しながらテンキー入力を取り込み、スタートキーが押下されると、ステップＳ１１２でカウンタＣの値が４以上かどうかを判定する。コピー枚数として４桁以上の数値が入力されることはあり得ないと考えられるので、この場合にはダイヤル操作の前にダイヤルキー８３の操作が忘れられているものと判断してステップＳ４に移行し、入力された数値を電話番号として扱って発呼を行う。
なお、この場合、ステップＳ４では、６桁目以上の残りの電話番号を順次入力し、スタートキー８２の押下などに応じて発呼処理を行なうものとする。
一方、カウンタＣの値が３以下の場合にはその数値をコピー枚数の指定と判断してステップＳ１５に移行し、その枚数のコピー処理を行う。
このような構成によれば、警告処理を受けることなくダイヤリングの場合のダイヤルキー押し忘れに適切に対処することができる。」（頁段落【００２３】ないし頁段落【００２８】、図４）
　　
（３）対比・判断
ア　本願補正発明と刊行物１に記載された発明（以下、「刊行物発明」という）との対比
　本願補正発明と刊行物発明を対比すると、
（ア）上記２（２）ア（ア）ないし（ウ）（オ）によれば、刊行物発明は、モード選択スイッチの操作も不要となり、操作が簡単で、誤操作も防止可能な画像出力装置を提供することを目的としているファクシミリ機能付きの複写機で、少なくとも複写機能とファクス機能を持っており、複写モードとファクスモードは切り替えられて使用され、機能選択キー２０１の所望のキーを押すことによって使用する機能の動作モードを選択し、所定の動作をさせることができ、２０４は液晶等を用いた表示部で、用紙のサイズや拡大，縮小の倍率の他、必要な処理内容等を表示できるようになっており、また、操作部１０６は、複写枚数の入力手段であるテンキーとファクス送信先の電話番号の入力手段であるテンキーとを共用にしており、実行開始キー２０２が押される以前にテンキー２０３にて入力された数値は、各モードによって異なる意味を持っており、複写機１０１が複写モードにあるときは複写枚数を意味し、複写機１０１がファクスモードにあるときは電話番号を意味するものであり、ファクスモードに切り替えると表示部２０４にファクスモードの表示を行うのであり、表示部の有効表示桁数を変更するかは明らかでないもの、操作部が本願発明の「操作パネル」に相当するから、本願補正発明と刊行物発明とは、「複写枚数または送信先電話番号を入力する入力手段」を具備し、「原稿を複写するコピーモードと原稿を電話回線を介して送信するファックスモードとを有し、両モードで共通に用いられる操作パネルを具備した画像記録装置」である点で一致している。
　上記２（２）ア（エ）（オ）によれば、刊行物発明は、テンキー２０３にて入力された数値が所定の桁数以上の場合はファクス送信の動作モードに切り替え、それより桁数が小さい場合は複写の動作モードに切り替えるようにしているものであり、ステップＳ３０２において使用者によるキー入力があるかどうかを判別し、ある場合はステップＳ３０３において押されたキーがテンキー２０３の数字キーかどうかを判別し、数字キーが押されている場合は、ステップＳ３０４においてその数字キーの値によって数値を更新し、ステップＳ３０２にて次のキー入力を待ち、実行開始キー２０２が押されていた場合は、ステップＳ３０７において上記入力された数値を調べ、ある一定の桁以上かどうかを判別し、ある一定の桁数よりも多ければステップＳ３０８においてファクス動作を行い、反対に少なければステップＳ３０９において複写動作を行うものである。そして、上記のごとく、実行開始キーが押された場合に入力された数値がある一定の桁以上かどうかを判別してモードを切り換える点は本願発明の「特定キーの入力を伴うテンキーの入力桁数により実行すべきモードを判断する」点に対応するといえ、前記実行すべきモード以外のモードにて入力された入力値を保持するかは明らかでないものの、本願補正発明と刊行物発明とは、「この入力手段により入力された特定キーの入力を伴うテンキーの入力桁数により実行すべきモードを判断する判断手段と、この判断手段により実行すべきモード以外のモードであると判断された場合に、前記実行すべきモードへと切り換える制御手段」を具備する点で一致している。
（イ）したがって、両者は「原稿を複写するコピーモードと原稿を電話回線を介して送信するファックスモードとを有し、両モードで共通に用いられる操作パネルを具備した画像記録装置であって、複写枚数または送信先電話番号を入力する入力手段と、この入力手段により入力された特定キーの入力を伴うテンキーの入力桁数により実行すべきモードを判断する判断手段と、この判断手段により実行すべきモード以外のモードであると判断された場合に、前記実行すべきモードへと切り換える制御手段とを具備することを特徴とする画像記録装置。」である点で一致し、次の点で相違しているものと認められる。
ａ　操作パネルについて、本願補正発明は、「表示部の有効表示桁数を変更」するものであるのに対し、刊行物発明は、その点が明らかでない点
ｂ　制御手段について、本願補正発明は、「前記実行すべきモード以外のモードにて入力された入力値を保持し、」「保持された入力値を前記実行すべきモードの実行に用いる」ものであるのに対し、刊行物発明は、その点が明らかでない点
　　
イ　相違点についての検討
　相違点ａについて
　上記２（２）イ（ウ）によれば、刊行物２の、「ダイヤルキーを使用せずにコピー枚数の入力が開始されると、その桁数を監視し、例えば３桁以上の入力を行えないようにした装置もある。このような装置で３桁以上の入力を行うと、最後の２桁のみをコピー枚数として扱うような処理が知られている。」点の記載からして、刊行物２には、コピーモードにおいて桁を制限する示唆がなされており、入力された数値を表示することはこの種の装置において普通のことであるから、操作パネルについて、表示部の有効桁数を変更するようにすることは当業者が適宜なしうる程度のことといえる。
　相違点ｂについて
　上記２（２）イ（ア）ないし（エ）によれば、刊行物２には、画像通信装置（ファクシミリ装置）に関するもので、従来のファクシミリ装置の問題を解決し、ユーザの意図しない動作が行なわれ、誤発呼や、記録紙の無駄な消費などを未然に防止できるものであり、所定桁数以上のコピー枚数入力が行われた場合、ダイヤルキー８３の押し忘れと判断してその数値入力を通信を希望する相手局の電話番号として扱い、発呼を行うようにするため、カウンタで入力桁数を計数しながらテンキー入力を取り込み、スタートキーが押下されると、カウンタＣの値が４以上かどうかを判定し、枚数として４桁以上の数値が入力された場合にはダイヤル操作の前にダイヤルキー８３の操作が忘れられているものと判断して、入力された数値を電話番号として扱って発呼を行い、この場合、６桁目以上の残りの電話番号を順次入力し、スタートキー８２の押下などに応じて発呼処理を行なう点が開示されている。
　してみれば、刊行物２のものを刊行物発明に採用して、制御手段について、「前記実行すべきモード以外のモードにて入力された入力値を保持し、」「保持された入力値を前記実行すべきモードの実行に用いる」ようにすることは、当業者にとって容易に推考できたものであり、また、上記相違点に基づく本願補正発明の効果に格別顕著なものがあるともいえない。
　
　そして、これら相違点を総合的に考慮しても当業者が推考し難い格別のものであるとすることはできず、また本願補正発明の効果についてみても、上記構成の採用に伴って当然に予測される程度のものにすぎず、格別顕著なものがあるともいえない。
　したがって、本願補正発明は、刊行物１ないし２に記載された発明に基づいて、当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　平成１７年７月１４日付けの手続補正は上記のとおり却下されたので、本願の請求項１に係る発明（以下、同項記載の発明を「本願発明」という）は、平成１７年５月２５日付けの手続補正により補正された明細書の特許請求の範囲請求項１に記載された事項により特定される、以下のとおりのものである。
「
原稿を複写するコピーモードと原稿を電話回線を介して送信するファックスモードとを有し、表示部の有効表示桁数を変更して両モードで共通に用いられる操作パネルを具備した画像記録装置であって、複写枚数または送信先電話番号を入力する入力手段と、この入力手段により入力された入力値の桁数と特定入力の有無により実行すべきモードを判断する判断手段と、この判断手段により実行すべきモード以外のモードであると判断された場合に、前記実行すべきモード以外のモードにて入力された入力値を保持し、前記実行すべきモードへと切り換えると共に前記保持された入力値を前記実行すべきモードの実行に用いる制御手段と
　
（１）刊行物
　原審拒絶理由に引用された刊行物、および、その記載事項は、前記「２．（２）」に記載したとおりである。
　
（２）対比・判断
　本願発明は、前記２．で検討した本願補正発明から「実行すべきモードを判断する」点の限定事項である「特定キーの入力を伴うテンキーの入力桁数により」との構成を省いたものである。
　そうすると、本願発明の特定事項を全て含み、さらに他の特定事項を付加したものに相当する本願補正発明が、前記「２．（３）」に記載したとおり、刊行物１ないし２に記載された発明に基づいて、当業者が容易に発明をすることができたものであるから、本願発明も、同様の理由により、刊行物１ないし２に記載された発明に基づいて、当業者が容易に発明をすることができたものである。
　
（３）むすび
　したがって、本願発明は、刊行物１ないし２に記載された発明に基いて当業者が容易に発明をすることができたものであるので、本願は、特許法第２９条第２項の規定により特許を受けることができない。
　よって、結論のとおり審決する。